Podtech/llm-jp-corpus-v4-ja_patent huggingface dataset:
【手続補正書】
【提出日】平成19年7月19日(2007.7.19)
【手続補正１】
【補正対象書類名】特許請求の範囲
【補正対象項目名】全文
【補正方法】変更
【補正の内容】
【特許請求の範囲】
【請求項１】
以下の（ａ）又は（ｂ）のポリペプチドをコードするヒト遺伝子。
（ａ）配列番号２で表されるアミノ酸配列を含むポリペプチド。
（ｂ）ポリペプチド（ａ）において、１若しくは数個のアミノ酸が欠失、置換若しくは付加されたアミノ酸配列からなり、かつ血管新生阻害作用を有するポリペプチド。
【請求項２】
以下の（ｃ）又は（ｄ）のポリペプチドをコードするヒト遺伝子。
（ｃ）配列番号２で表されるアミノ酸番号２０２から３１７のアミノ酸配列を含むポリペプチド。
（ｄ）ポリペプチド（ｃ）において、１若しくは数個のアミノ酸が欠失、置換若しくは付加されたアミノ酸配列からなり、かつ血管新生阻害作用を有するポリペプチド。
【請求項３】
以下の（ｅ）又は（ｆ）のポリペプチドをコードするマウス遺伝子。
（ｅ）配列番号４で表されるアミノ酸配列を含むポリペプチド。
（ｆ）ポリペプチド（ｅ）において、１若しくは数個のアミノ酸が欠失、置換若しくは付加されたアミノ酸配列からなり、かつ血管新生阻害作用を有するポリペプチド。
【請求項４】
以下の（ｇ）又は（ｈ）のポリペプチドをコードするラット遺伝子。
（ｇ）配列番号６で表されるアミノ酸配列を含むポリペプチド。
（ｈ）ポリペプチド（ｇ）において、１若しくは数個のアミノ酸が欠失、置換若しくは付加されたアミノ酸配列からなり、かつ血管新生阻害作用を有するポリペプチド。
【請求項５】
配列番号１で表される塩基配列を含む請求項１に記載のヒト遺伝子。
【請求項６】
配列番号１で表される塩基配列番号６７０から１０１７の塩基配列を含む請求項２に記載の単離されたヒト遺伝子。
【請求項７】
配列番号３で表される塩基配列を含む請求項３に記載のマウス遺伝子。
【請求項８】
配列番号５で表される塩基配列を含む請求項４に記載のラット遺伝子。
【請求項９】
以下の（ｉ）又は（ｊ）の、ヒト遺伝子がコードするポリペプチド。
（ｉ）配列番号２で表されるアミノ酸配列を含むポリペプチド。
（ｊ）ポリペプチド（ｉ）において、１若しくは数個のアミノ酸が欠失、置換若しくは付加されたアミノ酸配列からなり、かつ血管新生阻害作用を有するポリペプチド。
【請求項１０】
以下の（ｋ）又は（ｌ）の、ヒト遺伝子がコードするポリペプチド。
（ｋ）配列番号２で表されるアミノ酸番号２０２から３１７のアミノ酸配列を含むポリペプチド。
（ｌ）ポリペプチド（ｋ）において、１若しくは数個のアミノ酸が欠失、置換若しくは付加されたアミノ酸配列からなり、かつ血管新生阻害作用を有するポリペプチド。
【請求項１１】
以下の（ｍ）又は（ｎ）の、マウス遺伝子がコードするポリペプチド。
（ｍ）配列番号４で表されるアミノ酸配列を含むポリペプチド。
（ｎ）ポリペプチド（ｍ）において、１若しくは数個のアミノ酸が欠失、置換若しくは付加されたアミノ酸配列からなり、かつ血管新生阻害作用を有するポリペプチド。
【請求項１２】
以下の（ｏ）又は（ｐ）の、ラット遺伝子がコードするポリペプチド。
（ｏ）配列番号６で表されるアミノ酸配列を含むポリペプチド。
（ｐ）ポリペプチド（ｏ）において、１若しくは数個のアミノ酸が欠失、置換若しくは付加されたアミノ酸配列からなり、かつ血管新生阻害作用を有するポリペプチド。
【請求項１３】
請求項１〜８のいずれか一項に記載の遺伝子の少なくとも一部とハイブリダイズするオリゴヌクレオチドプローブ。
【請求項１４】
請求項１３に記載のオリゴヌクレオチドプローブを含む遺伝子の検出試薬。
【請求項１５】
請求項１〜８のいずれか一項に記載の遺伝子を含む組換え体ＤＮＡ。
【請求項１６】
請求項１５に記載の組換え体ＤＮＡによって形質転換された形質転換体。
【請求項１７】
請求項１６に記載の形質転換体を培養し、得られる培養物からヒト、マウス及びラット遺伝子がコードするポリペプチドを採取することを特徴とする前記ポリペプチドの製造方法。
【請求項１８】
請求項９〜１２のいずれか一項に記載のポリペプチドと特異的に反応するモノクローナル抗体又はその抗体断片。
【請求項１９】
配列番号２のアミノ酸番号２４５〜２５２のアミノ酸配列を含むポリペプチドと特異的に反応するモノクローナル抗体又はその抗体断片。
【請求項２０】
請求項９〜１２のいずれか一項に記載のポリペプチドと特異的に反応するポリクローナル抗体又はその抗体断片。
【請求項２１】
配列番号２のアミノ酸番号２４５〜２５２のアミノ酸配列を含むポリペプチドと特異的に反応するポリクローナル抗体又はその抗体断片。
【請求項２２】
請求項１８又は１９に記載の抗体を産生する抗体産生細胞とミエローマ細胞とを融合させることにより得られる、モノクローナル抗体を産生するハイブリドーマ。
【請求項２３】
請求項９〜１２のいずれか一項に記載のポリペプチド、並びに請求項１８若しくは１９に記載のモノクローナル抗体及び／又は請求項２０若しくは２１に記載のポリクローナル抗体を含む診断用キット。
【請求項２４】
請求項９〜１２のいずれか一項に記載のポリペプチドからなる医薬組成物。
【請求項２５】
請求項１８若しくは１９に記載のモノクローナル抗体又は請求項２０若しくは２１に記載のポリクローナル抗体からなる医薬組成物。
【請求項２６】
請求項１〜８に記載の遺伝子の一部と特異的にハイブリダイズするアンチセンスオリゴヌクレオチドからなる医薬組成物。
【請求項２７】
請求項１〜８に記載の遺伝子の少なくとも一部を含む、遺伝子治療に利用しうる核酸からなる医薬組成物。
【請求項２８】
請求項９〜１２のいずれかに記載のポリペプチドを含む血管新生阻害剤。
【請求項２９】
請求項１〜８のいずれかに記載の遺伝子を含む血管新生阻害剤。
【手続補正書】
【提出日】平成19年9月26日(2007.9.26)
【手続補正１】
【補正対象書類名】特許請求の範囲
【補正対象項目名】全文
【補正方法】変更
【補正の内容】
【特許請求の範囲】
【請求項１】
非磁性のコイル用スペーサーを介して、同極同士が対向した状態で一体化された複数の永久磁石と、
上記複数の永久磁石の外周に間隔を有するように配置され、交互に巻き方向が逆となるように構成された複数のコイルと、からなり、
上記複数の永久磁石を移動させることによって発電する振動発電機であって、
上記コイルの長さは、上記永久磁石の長さの７０％〜９０％としたこと
を特徴とする振動発電機。
【請求項２】
上記永久磁石間の距離は、上記永久磁石の長さの１０％〜４０％であること
を特徴とする請求項１に記載の振動発電機。
【請求項３】
上記コイル間の距離は、上記永久磁石の長さの１０％〜３０％であること
を特徴とする請求項１または２に記載の振動発電機。
【請求項４】
上記コイルの数は、上記永久磁石の数と同数、または永久磁石の数＋１個以上としたこと
を特徴とする請求項１乃至３のいずれかに記載の振動発電機。
【請求項５】
上記永久磁石の形状および上記コイル用スペーサーの形状は、同じ径を有する円筒状であること
を特徴とする請求項１乃至４のいずれかに記載の振動発電機。
【手続補正書】
【提出日】平成19年9月25日(2007.9.25)
【手続補正１】
【補正対象書類名】特許請求の範囲
【補正対象項目名】全文
【補正方法】変更
【補正の内容】
【特許請求の範囲】
【請求項１】
特許出願中の特願２０００−１８５４７７を利用し、シリンダ−〈端は永久磁石〉中を水平に動くＮｄ永久磁石ピストンによって、クランクが動く、そしてそのクランクを動力源として、尚且つ非晶質コイルを回転させて、低温下における超電導によって、ロスの少ない電気を得るものである。
最初の低温はバッテリ−〈蓄電〉電力によって、そしてそのロスとの差の電力を再度低温を得るエネルギ−に使う。
まずは手動で、はずみ車を回転させる事により、水素も液体燃料も、ウランも、太陽光も、風力もいらないエネルギ−を得る事ができる。
【手続補正書】
【提出日】平成19年6月20日(2007.6.20)
【手続補正１】
【補正対象書類名】明細書
【補正対象項目名】００３０
【補正方法】変更
【補正の内容】
【００３０】
この発明のスライドファスナー用上止について説明すると、図１〜５に示す実施例１のスライドファスナー用上止は、ファスナーチエンにおけるファスナーテープ２の表裏両面を合成ゴムあるいは熱可塑性エラストマーによって被覆して被覆層１１を形成し、ファスナーテープ２に防水性あるいは止水性を備えさせ、ファスナーテープ２における一側縁の縁部４に上止１を形成するため、上止１を略同等の大きさの切欠部５をファスナーテープ２に形成し、この切欠部５を利用してポリアミド、ポリアセタール、ポリプロピレン、ポリブチレンテレフタレートなどの熱可塑性樹脂を用いて上止１を射出成形する。上止１は全体が鍵形を呈し、左右の先端は分離して内側へ屈曲し、中間に凹形部６を形成し、凹形部６はファスナーテープ２の縁部４に形成した切欠部５に沿って、ファスナーテープ２を内方へ凹む形に切欠し、ファスナーチエンが閉じられて左右の上止１が向かいあったとき、凹形部６によって、スライダー２０の案内柱２４が収容できる収容部１０を形成する。また凹形部６は案内柱２４を避ける形に形成されるが、これはファスナーチエンを閉じたときに、上止１側のファスナーテープ２の端部が互いにほぼ平行な状態となる形に形成する。切欠部５は、図２，図３に示すように、ファスナーテープ２の縁部４が凹形部６よりも内側に位置している。
【手続補正２】
【補正対象書類名】図面
【補正対象項目名】図１
【補正方法】変更
【補正の内容】
【図１】
2006296732.tif 000001
【手続補正３】
【補正対象書類名】図面
【補正対象項目名】図５
【補正方法】変更
【補正の内容】
【図５】
2006296732.tif 000002
【手続補正４】
【補正対象書類名】図面
【補正対象項目名】図６
【補正方法】変更
【補正の内容】
【図６】
2006296732.tif 000003
【手続補正書】
【提出日】平成19年6月28日(2007.6.28)
【手続補正１】
【補正対象書類名】特許請求の範囲
【補正対象項目名】全文
【補正方法】変更
【補正の内容】
【特許請求の範囲】
【請求項１】
前後輪（３，３；４，４）を備えた車体（２）の後部に粉粒体繰出部（１０）を配置した粉粒体吐出機において、
該後輪（４，４）に動力を伝える後輪伝動ケース（３０，３０）を設け、
該後輪伝動ケース（３０，３０）を介して後輪（４，４）が上下する構成とし、
前記後輪伝動ケース（３０）から上側へ突出した繰出伝動軸（６０）を設けた
ことを特徴とする粉粒体吐出機。
【請求項２】
後輪伝動ケース（３０，３０）を介して後輪（４，４）がローリングするためのローリング軸（２ｂａ）を設け、
後輪（４，４）がローリング軸（２ｂａ）を中心に左右にローリングする接線方向に向くように前記後輪伝動ケース（３０）から上側へ突出した繰出伝動軸（６０）を設けた
ことを特徴とする請求項１に記載の粉粒体吐出機。
【手続補正２】
【補正対象書類名】明細書
【補正対象項目名】０００６
【補正方法】変更
【補正の内容】
【０００６】
本発明は、以下の手段を採用することにより解決できる。
請求項１記載の発明は、前後輪（３，３；４，４）を備えた車体（２）の後部に粉粒体繰出部（１０）を配置した粉粒体吐出機において、該後輪（４，４）に動力を伝える後輪伝動ケース（３０，３０）を設け、該後輪伝動ケース（３０，３０）を介して後輪（４，４）が上下する構成とし、前記後輪伝動ケース（３０）から上側へ突出した繰出伝動軸（６０）を設けた粉粒体吐出機である。
請求項２記載の発明は、後輪伝動ケース（３０，３０）を介して後輪（４，４）がローリングするためのローリング軸（２ｂａ）を設け、後輪（４，４）がローリング軸（２ｂａ）を中心に左右にローリングする接線方向に向くように前記後輪伝動ケース（３０）から上側へ突出した繰出伝動軸（６０）を設けた請求項１に記載の粉粒体吐出機である。
【手続補正３】
【補正対象書類名】明細書
【補正対象項目名】０００７
【補正方法】変更
【補正の内容】
【０００７】
請求項１記載の発明によれば、本発明の粉粒体吐出機（１）では、前記後輪伝動ケース（３０）から前記粉粒体繰出部（１０）に動力を伝動する前記繰出伝動軸（６０）を後輪 伝動ケース（３０）から上側へ突出したので、コストダウンが図れる。
請求項２記載の発明によれば、請求項１記載の発明の作用効果に加えて、前記繰出伝動軸（６０）を、後輪（４，４）が左右にローリングする接線方向に向くように、左右方向に傾けて配置したので、繰出伝動軸（６０）からの動力伝動が安定することから、粉粒体吐出装置（１１）の伝動系の負荷の増大及び動力伝動軸の脈動を防ぎ、更なるコストダウンが図れ、粉粒体の繰り出し精度も良い。    
更に本発明の粉粒体吐出機（１）は、機体重量が軽減されて走行性能が良くなる。
【手続補正書】
【提出日】平成19年7月27日(2007.7.27)
【手続補正１】
【補正対象書類名】明細書
【補正対象項目名】特許請求の範囲
【補正方法】変更
【補正の内容】
【特許請求の範囲】
【請求項１】  遮断器の主回路部の導体を収納し電気的に絶縁を保つガスを封入したタンクを備えたタンク形遮断器において、上記タンクの表面にフィンを設け、上記フィンは、上記タンクの強度的に補強を必要とする部分の表面に選択的に配設することを特徴とするタンク形遮断器。
【請求項２】  フィンは、タンクの表面に沿う端部を有する板状の部材であり、上記タンクの表面に複数枚の上記フィンが所定間隔隔てて立設配置されることを特徴とする請求項１記載のタンク形遮断器。
【請求項３】  フィンは、タンクの表面に沿う平板部と、この平板部から所定間隔隔てて突出する複数の筋状の突起部とを有することを特徴とする請求項１記載のタンク形遮断器。
【手続補正２】
【補正対象書類名】明細書
【補正対象項目名】０００６
【補正方法】変更
【補正の内容】
【０００６】
【課題を解決するための手段】
この発明によるタンク形遮断器は、遮断器の主回路部の導体を収納し電気的に絶縁を保つガスを封入してなるタンクを備えたタンク形遮断器であり、上記タンクの表面にフィンを設け、タンクの強度補強が必要な部分の表面に選択的にフィンを配置したものである。
【手続補正３】
【補正対象書類名】明細書
【補正対象項目名】０００７
【補正方法】削除
【補正の内容】
【手続補正書】
【提出日】平成19年10月12日(2007.10.12)
【手続補正１】
【補正対象書類名】明細書
【補正対象項目名】特許請求の範囲
【補正方法】変更
【補正の内容】
【特許請求の範囲】
【請求項１】  被写体像を電気信号に変換する撮像素子を備えた撮像装置であって、
前記撮像素子が接続されるとともに、前記撮像素子の出力信号をＡ／Ｄ変換する回路が実装される撮像回路基板と、
ＡＦ回路またはＡＥ回路が実装される撮影系制御回路基板と、
前記撮像回路基板から出力される信号に所定の画像処理を施す画像処理回路が実装される画像処理回路基板とを有し、
前記撮像回路基板は前記撮像素子の撮像面と略平行に配置され、前記撮影系制御回路基板は前記撮像回路基板に対して略垂直に配置され、前記画像処理回路基板は前記撮像回路基板と略同一平面内に配置されることを特徴とする撮像装置。
【請求項２】  前記撮像回路基板の一方側に前記撮影系制御回路基板が配置され、前記撮像回路基板の他方側に前記画像処理回路基板が配置されることを特徴とする請求項１に記載の撮像装置。
【請求項３】  前記画像処理回路基板は前記撮像装置のグリップ側に配置され、前記撮影系制御回路基板は前記グリップと反対側に配置されることを特徴とする請求項２に記載の撮像装置。
【請求項４】  前記撮影系制御回路基板は光軸方向より見て前記撮像回路基板と重なる位置に配置されることを特徴とする請求項１ないし３のいずれか１項に記載の撮像装置。
【請求項５】  前記撮像回路基板の表面に実装されている電気部品の最大高さが前記画像処理回路基板の裏面に実装されている電気部品の最大高さを超えない範囲で平行に配置されていることを特徴とする請求項１ないし４のいずれか１項に記載の撮像装置。
【手続補正２】
【補正対象書類名】明細書
【補正対象項目名】００１３
【補正方法】変更
【補正の内容】
【００１３】
【課題を解決するための手段および作用】
本発明の撮像装置は、被写体像を電気信号に変換する撮像素子を備えた撮像装置であって、前記撮像素子が接続されるとともに、前記撮像素子の出力信号をＡ／Ｄ変換する回路が実装される撮像回路基板と、ＡＦ回路またはＡＥ回路が実装される撮影系制御回路基板と、前記撮像回路基板から出力される信号に所定の画像処理を施す画像処理回路が実装される画像処理回路基板とを有し、前記撮像回路基板は前記撮像素子の撮像面と略平行に配置され、前記撮影系制御回路基板は前記撮像回路基板に対して略垂直に配置され、前記画像処理回路基板は前記撮像回路基板と略同一平面内に配置されることを特徴とする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００４６
【補正方法】変更
【補正の内容】
【００４６】
ここで、本発明における「略同一平面内にある基板」の定義を、図６を用いて説明する。図６に示した基板Ａと基板Ｂは略同一平面内に位置する基板である。即ち、基板Ａの表面に実装されている電気部品の最大高さが基板Ｂの裏面に実装されている電気部品の最大高さを越えることなく、部品高さ方向のオーバーラップ量Ｓを有して平行に位置した基板相互の関係を略同一面内に配置されている基板と称している。
【手続補正書】
【提出日】平成19年10月18日(2007.10.18)
【手続補正１】
【補正対象書類名】明細書
【補正対象項目名】特許請求の範囲
【補正方法】変更
【補正の内容】
【特許請求の範囲】
【請求項１】  被写体の光学象を電気信号に変換する撮像手段と、
前記撮像手段による光電変換後の電気信号に対して、所定のゲインで増幅する増幅手段と、
感度条件に応じて、前記増幅手段のゲインを切り換えるゲイン切り換え手段と、
前記撮像手段からの電気信号を処理する処理手段と、
前記感度条件に応じた前記増幅手段における増幅によって生じる前記電気信号の変動に対して、前記処理手段の処理を切り替えるように制御する制御手段と
を有することを特徴とする画像処理装置。
【請求項２】  前記処理手段は、前記増幅手段により増幅された信号に所定の直流電圧を加算するオフセット加算手段を含み、前記制御手段は、前記感度条件に応じて、所定のオフセット加算量に設定を切り替えるために前記オフセット加算手段を制御するオフセット切り換え手段を含む請求項１に記載の画像処理装置。
【請求項３】  前記処理手段は、前記撮像手段からのアナログ撮像信号をデジタル信号に変換するＡＤ変換手段を含み、前記制御手段は、前記感度条件に応じて、所定の入力レンジに設定を切り替えるように前記ＡＤ変換手段を制御するレンジ切り換え手段を含む請求項１又は請求項２に記載の画像処理装置。
【請求項４】  前記処理手段は、前記撮像手段の持つ画素のキズを補正するキズ補正手段を含み、前記制御手段は、前記感度条件に応じて、前記キズ補正手段におけるキズ補正の数を切り換えるキズ補正数切り換え手段を含む請求項１乃至請求項３のいずれか１項に記載の画像処理装置。
【請求項５】  前記処理手段は、前記撮像手段からの電気信号を所定の信号振幅で制限するクリップ手段を含み、前記制御手段は、前記感度条件に応じて、所定の信号レベルに設定を切り替えるために、前記クリップ手段を制御するクリップレベル切り替え手段を含む請求項１乃至請求項４のいずれか１項に記載の画像処理装置。
【請求項６】  前記感度条件は、ＩＳＯ感度を含む請求項１乃至請求項５のいずれか１項に記載の画像処理装置。
【請求項７】  （ａ）被写体の光学像を電気信号に変換する光電変換ステップと、
（ｂ）前記電気信号に対して、所定のゲインで増幅する増幅ステップと、
（ｃ）感度条件に応じて、前記増幅ステップのゲインを切り替える切り替えステップと、
（ｄ）前記電気信号を処理する処理ステップと、
（ｅ）前記感度条件に応じた前記増幅ステップにおける増幅によって生じる前記電気信号の変動に対して、前記処理ステップの処理を切り替えるように制御する制御ステップと
を有する画像処理方法。
【請求項８】  前記感度条件は、ＩＳＯ感度を含むことを特徴とする請求項７に記載の画像処理方法。
【手続補正２】
【補正対象書類名】明細書
【補正対象項目名】００２３
【補正方法】変更
【補正の内容】
【００２３】
【課題を解決するための手段】
本発明の一観点によれば、被写体の光学象を電気信号に変換する撮像手段と、前記撮像手段による光電変換後の電気信号に対して、所定のゲインで増幅する増幅手段と、感度条件に応じて、前記増幅手段のゲインを切り換えるゲイン切り換え手段と、前記撮像手段からの電気信号を処理する処理手段と、前記感度条件に応じた前記増幅手段における増幅によって生じる前記電気信号の変動に対して、前記処理手段の処理を切り替えるように制御する制御手段とを有することを特徴とする画像処理装置が提供される。
【手続補正３】
【補正対象書類名】明細書
【補正対象項目名】００２４
【補正方法】変更
【補正の内容】
【００２４】
本発明の他の観点によれば、（ａ）被写体の光学像を電気信号に変換する光電変換ステップと、（ｂ）前記電気信号に対して、所定のゲインで増幅する増幅ステップと、（ｃ）感度条件に応じて、前記増幅ステップのゲインを切り替える切り替えステップと、（ｄ）前記電気信号を処理する処理ステップと、（ｅ）前記感度条件に応じた前記増幅ステップにおける増幅によって生じる前記電気信号の変動に対して、前記処理ステップの処理を切り替えるように制御する制御ステップとを有する画像処理方法が提供される。
【手続補正４】
【補正対象書類名】明細書
【補正対象項目名】００２５
【補正方法】変更
【補正の内容】
【００２５】
上記装置および方法によれば、感度条件によらず、高品質な画像を得ることが出来る。
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００２９
【補正方法】削除
【補正の内容】
【手続補正９】
【補正対象書類名】明細書
【補正対象項目名】００３０
【補正方法】削除
【補正の内容】
【手続補正１０】
【補正対象書類名】明細書
【補正対象項目名】００３１
【補正方法】削除
【補正の内容】
【手続補正１１】
【補正対象書類名】明細書
【補正対象項目名】００３２
【補正方法】削除
【補正の内容】
【手続補正１２】
【補正対象書類名】明細書
【補正対象項目名】００３３
【補正方法】削除
【補正の内容】
【手続補正１３】
【補正対象書類名】明細書
【補正対象項目名】００３４
【補正方法】削除
【補正の内容】
【手続補正１４】
【補正対象書類名】明細書
【補正対象項目名】００３５
【補正方法】削除
【補正の内容】
【手続補正書】
【提出日】平成19年9月11日(2007.9.11)
【手続補正１】
【補正対象書類名】明細書
【補正対象項目名】特許請求の範囲
【補正方法】変更
【補正の内容】
【特許請求の範囲】
【請求項１】
光学的に画像を形成するためのシステムであって、
（ａ）光子の刺激に応答して電荷を生成するためのセルのアレイと、
（ｂ）電荷を保存するための複数の電荷コンテナを有する電荷シフトレジスタであって、前記アレイの各セルによって生成された電荷を受取って、前記電荷コンテナ間で連続的に前記電荷をシフトし、各セルの前記電荷を出力するよう構成された電荷シフトレジスタと、
（ｃ）各電荷検出ノードから電圧として読出し可能な電荷を蓄積するための少なくとも２つの電荷検出ノードと、
（ｄ）前記電荷シフトレジスタの前記出力電荷を受取り、前記少なくとも２つの電荷検出ノードの各々に前記出力電荷を選択的に分配するよう構成された電荷デマルチプレクサ
を備えるシステム。
【請求項２】
前記セルのアレイが、電荷結合素子アレイを含む、請求項１のシステム。
【請求項３】
前記少なくとも２つの電荷検出ノードの各々の前記電圧を受取るよう構成された少なくとも１つの出力バッファを更に備える、請求項１のシステム。
【請求項４】
前記少なくとも２つの電荷検出ノードからの前記電圧を増幅するよう構成された少なくとも１つの増幅器を更に備える、請求項１のシステム。
【請求項５】
前記少なくとも２つの電荷検出ノードからの前記電圧をデジタル信号に変換するよう構成された少なくとも１つのアナログ−デジタル変換器を更に備える、請求項１のシステム。
【請求項６】
さらに、前記電荷検出ノードの少なくとも１つが、少なくとも２つの前記セルの電荷を合計するように構成される、請求項１のシステム。
【請求項７】
光子の刺激に応答してセル電荷を生成するセルのアレイの出力を表すようにセグメント化された電圧信号を生成するための方法であって、
（ａ）前記セルからの各セル電荷を、電荷を保存するための複数の電荷コンテナを有する電荷シフトレジスタで受取るステップと、
（ｂ）前記電荷コンテナ間で前記電荷を連続的にシフトさせ、前記電荷シフトレジスタの電荷コンテナから電荷デマルチプレクサに前記セル電荷を出力するステップと、
（ｃ）前記電荷デマルチプレクサが、前記連続的なセル電荷を少なくとも２つの電荷検出ノードのうちの１つに選択的に分配するステップと、
（ｄ）前記少なくとも２つの電荷検出ノードのうちの少なくとも１つにおいて前記セル電荷によって生成された電圧を連続的に読出すステップ
含む、方法。
【請求項８】
前記電荷デマルチプレクサが前記連続的なセル電荷を少なくとも２つの電荷検出ノードのうちの１つに選択的に分配するステップが、前記電荷デマルチプレクサが前記少なくとも２つの電荷検出ノードの各々に１つのセル電荷を分配するステップを含む、請求項７の方法。
【請求項９】
前記電荷デマルチプレクサが前記連続的なセル電荷を少なくとも２つの電荷検出ノードのうちの１つに選択的に分配するステップが、前記電荷デマルチプレクサが前記少なくとも２つの電荷検出ノードの各々に複数のセル電荷を分配するステップ含む、請求項７の方法。
【請求項１０】
前記電荷検出ノードの少なくとも１つに分配された少なくとも２つの前記セル電荷を、該セル電荷によって生成された電圧を連続的に読み出す前に合計するステップをさらに含む、請求項７の方法。
【手続補正書】
【提出日】平成19年10月12日(2007.10.12)
【手続補正１】
【補正対象書類名】明細書
【補正対象項目名】発明の名称
【補正方法】変更
【補正の内容】
【発明の名称】撮像装置及び撮像方法
【手続補正２】
【補正対象書類名】明細書
【補正対象項目名】特許請求の範囲
【補正方法】変更
【補正の内容】
【特許請求の範囲】
【請求項１】  被写体光を画像信号に変換する撮像手段と、上記撮像手段から画像信号を露光時間に応じた回数読出して所定の画像信号を生成する信号処理手段と、上記信号処理手段による上記撮像手段からの画像信号の上記露光時間に応じ読み出し回数を撮影モードに応じて変更する変更手段とを有することを特徴とする撮像装置。
【請求項２】  上記信号処理手段は、露光時間が所定値より短い場合には、上記撮像手段からの１回の画像信号の読み出しにより上記所定の画像信号を生成すると共に、露光時間が上記所定値より長い場合には、上記撮像手段からの複数回の画像信号の読み出しにより上記所定の画像信号を生成し、上記変更手段は、撮影モードに応じて上記所定値を変更することを特徴とする請求項１に記載の撮像装置。
【請求項３】  上記信号処理手段は、上記撮像手段からの上記複数回の読み出しにより得た画像信号を合成して上記所定の画像信号を生成することを特徴とする請求項２に記載の撮像装置。
【請求項４】  上記信号処理手段は、上記撮像手段からの上記複数回の読み出しにより得た画像信号を加算して上記所定の画像信号を生成するとともに、上記撮影モードごとに上記露光時間に対する閾値を変えることを特徴とする請求項２に記載の撮像装置。
【請求項５】  上記撮影モードは、単写撮影モードと連写撮影とを含む複数のモードであることを特徴とする請求項１〜４の何れか１項に記載の撮像装置。
【請求項６】  上記撮影モードは、シャッタ優先と絞り優先とを含む複数のモードであることを特徴とする請求項１〜５の何れか１項に記載の撮像装置。
【請求項７】  上記信号処理手段は、上記撮影モードに応じて上記撮像手段からの画像信号の上記露光時間に応じた複数回の読出し回数を変更することを特徴とする請求項１〜６の何れか１項に記載の撮像装置。
【請求項８】  撮像素子に光学像を入力する露光動作を行い、上記光学像を上記撮像素子により電気信号に変換して映像信号を生成する撮像方法であって、
所定の時間に設定された露光動作を複数回繰り返し行って複数の映像信号を生成し、上記生成した複数の映像信号を加算して最終的な映像信号を生成する映像信号生成工程を有する撮像方法であり、
上記露光動作を１回行う期間における撮像素子の読み出し回数を、長時間露光動作や高感度撮影を行う状況に応じて変化させる読み出し回数制御工程を有することを特徴とする撮像方法。
【請求項９】  撮像素子に光学像を入力する露光動作を行い、上記光学像を上記撮像素子により電気信号に変換して映像信号を生成する撮像方法であって、
１回の露光動作中における露光時間が予め設定された閾値を超えたか否かを判断する露光時間判断工程と、
上記露光時間判断工程の判断の結果、上記露光時間が上記閾値を超えた場合には、上記撮像素子から複数回の読み出し動作を行う読み出し制御工程と、
上記撮像素子から読み出された複数の映像信号をメモリ上で演算して１つの映像信号を生成する映像信号生成工程を有する撮像方法であり、
上記閾値を、撮影時の条件に応じて変えることを特徴とする撮像方法。
【手続補正３】
【補正対象書類名】明細書
【補正対象項目名】０００１
【補正方法】変更
【補正の内容】
【０００１】
【発明の属する技術分野】
本発明は撮像装置及び撮像方法に関し、特に、種々の撮影状況下において好適に使用可能な撮像装置に関する。
【手続補正４】
【補正対象書類名】明細書
【補正対象項目名】００１４
【補正方法】変更
【補正の内容】
【００１４】
本発明の撮像方法は、撮像素子に光学像を入力する露光動作を行い、上記光学像を上記撮像素子により電気信号に変換して映像信号を生成する撮像方法であって、所定の時間に設定された露光動作を複数回繰り返し行って複数の映像信号を生成し、上記生成した複数の映像信号を加算して最終的な映像信号を生成する映像信号生成工程を有する撮像方法であり、上記露光動作を１回行う期間における撮像素子の読み出し回数を、長時間露光動作や高感度撮影を行う状況に応じて変化させる読み出し回数制御工程を有することを特徴としている。
また、本発明の他の特徴とするところは、撮像素子に光学像を入力する露光動作を行い、上記光学像を上記撮像素子により電気信号に変換して映像信号を生成する撮像方法であって、１回の露光動作中における露光時間が予め設定された閾値を超えたか否かを判断する露光時間判断工程と、上記露光時間判断工程の判断の結果、上記露光時間が上記閾値を超えた場合には、上記撮像素子から複数回の読み出し動作を行う読み出し制御工程と、上記撮像素子から読み出された複数の映像信号をメモリ上で演算して１つの映像信号を生成する映像信号生成工程を有する撮像方法であり、上記閾値を、撮影時の条件に応じて変えることを特徴としている。
【手続補正５】
【補正対象書類名】明細書
【補正対象項目名】００１５
【補正方法】削除
【補正の内容】
【手続補正書】
【提出日】平成19年5月22日(2007.5.22)
【手続補正１】
【補正対象書類名】明細書
【補正対象項目名】発明の名称
【補正方法】変更
【補正の内容】
【発明の名称】番組情報処理装置、番組情報処理方法及び記録媒体
【手続補正２】
【補正対象書類名】明細書
【補正対象項目名】特許請求の範囲
【補正方法】変更
【補正の内容】
【特許請求の範囲】
【請求項１】  複数の番組の番組ガイドデータが格納される第１の記憶部と、
前記第１の記憶部に格納された番組ガイドデータから各番組のジャンル情報を抽出する抽出手段と、
前記抽出手段によりジャンル情報が抽出されなかった番組に対して、番組ガイドデータの内容を解析し、解析結果に基づき該番組のジャンル情報を決定する決定手段と、を備えることを特徴とする番組情報処理装置。
【請求項２】  さらに、ジャンル情報を含む検索条件を設定する設定手段と、
前記設定手段により設定された検索条件、前記抽出手段による抽出結果、及び前記決定手段による決定結果に基づいて、前記複数の番組の中から前記検索条件に合った番組を検索する検索手段と、を備えることを特徴とする請求項１に記載の番組情報処理装置。
【請求項３】  さらに、各ジャンルに対応する意味ベクトルに関する情報が予め格納される第２の記憶部を備え、
前記決定手段は、番組ガイドデータの内容の解析結果に基づき意味ベクトルを生成し、前記第２の記憶部に予め格納された情報に基づいて、生成した意味ベクトルに対応するジャンルを特定することを特徴とする請求項１に記載の番組情報処理装置。
【請求項４】  さらに、前記抽出手段によりジャンル情報が抽出されなかった番組の番組ガイドデータに、前記決定手段により決定されたジャンル情報を付加する付加手段を備えることを特徴とする請求項１に記載の番組情報処理装置。
【請求項５】  第１の記憶部に格納された複数の番組の番組ガイドデータから各番組のジャンル情報を抽出する抽出ステップと、
前記抽出ステップでジャンル情報が抽出されなかった番組に対して、番組ガイドデータの内容を解析し、解析結果に基づき該番組のジャンル情報を決定する決定ステップと、を備えることを特徴とする番組情報処理方法。
【請求項６】  さらに、ジャンル情報を含む検索条件を設定する設定ステップと、
前記設定ステップで設定された検索条件、前記抽出ステップによる抽出結果、及び前記決定ステップによる決定結果に基づいて、前記複数の番組の中から前記検索条件に合った番組を検索する検索ステップとを備えることを特徴とする請求項５に記載の番組情報処理方法。
【請求項７】  前記決定ステップにおいて、番組ガイドデータの内容の解析結果に基づき意味ベクトルを生成し、第２の記憶部に予め格納された各ジャンルに対応する意味ベクトルに関する情報に基づいて、生成した意味ベクトルに対応するジャンルを特定することを特徴とする請求項５に記載の番組情報処理方法。
【請求項８】  さらに、前記抽出ステップでジャンル情報が抽出されなかった番組の番組ガイドデータに、前記決定ステップで決定されたジャンル情報を付加する付加ステップを備えることを特徴とする請求項５に記載の番組情報処理方法。
【請求項９】  請求項５から請求項８までのいずれか一項に記載の番組情報処理方法の各ステップをコンピュータに実行させるためのプログラムを記録したコンピュータ読み取り可能な記録媒体。
【手続補正３】
【補正対象書類名】明細書
【補正対象項目名】０００１
【補正方法】変更
【補正の内容】
【０００１】
【発明の属する技術分野】
本発明は、番組ガイドデータに係る処理技術に関する。
【手続補正４】
【補正対象書類名】明細書
【補正対象項目名】０００９
【補正方法】変更
【補正の内容】
【０００９】
本発明は上記間題点を解決するために考案したものであり、ＥＰＧデータ中に存在するジャンル情報以外の項目の情報を解析して、不足、欠落しているジャンル情報を補足することを目的とする。
【手続補正５】
【補正対象書類名】明細書
【補正対象項目名】００１０
【補正方法】変更
【補正の内容】
【００１０】
【課題を解決するための手段】
本発明に係る番組情報処理装置は、複数の番組の番組ガイドデータが格納される第１の記憶部と、第１の記憶部に格納された番組ガイドデータから各番組のジャンル情報を抽出する抽出手段と、抽出手段によりジャンル情報が抽出されなかった番組に対して、番組ガイドデータの内容を解析し、解析結果に基づき該番組のジャンル情報を決定する決定手段とを備える。
【手続補正６】
【補正対象書類名】明細書
【補正対象項目名】００１１
【補正方法】変更
【補正の内容】
【００１１】
本発明に係る番組情報処理方法は、第１の記憶部に格納された複数の番組の番組ガイドデータから各番組のジャンル情報を抽出する抽出ステップと、抽出ステップでジャンル情報が抽出されなかった番組に対して、番組ガイドデータの内容を解析し、解析結果に基づき該番組のジャンル情報を決定する決定ステップとを備える。
【手続補正７】
【補正対象書類名】明細書
【補正対象項目名】００１２
【補正方法】変更
【補正の内容】
【００１２】
本発明に係る記録媒体は、上記番組情報処理方法の各ステップをコンピュータに実行させるためのプログラムを記録したコンピュータ読み取り可能な記録媒体である。
【手続補正８】
【補正対象書類名】明細書
【補正対象項目名】００１３
【補正方法】削除
【補正の内容】
【手続補正９】
【補正対象書類名】明細書
【補正対象項目名】００８４
【補正方法】変更
【補正の内容】
【００８４】
【発明の効果】
以上説明したように本発明によれば、番組ガイドデータのジャンル以外の項目を解析することによって、不足、欠落しているジャンル情報を補足することが可能になる。
【手続補正書】
【提出日】平成19年2月26日(2007.2.26)
【手続補正１】
【補正対象書類名】明細書
【補正対象項目名】発明の名称
【補正方法】変更
【補正の内容】
【発明の名称】固体撮像素子及びその信号処理方法
【手続補正２】
【補正対象書類名】明細書
【補正対象項目名】特許請求の範囲
【補正方法】変更
【補正の内容】
【特許請求の範囲】
【請求項１】  原色系のカラーフィルタを具備して成る単板式の固体撮像素子であって、
上記カラーフィルタにおいて、３原色のフィルタの配列の特定の画素にグレイフィルタが配置形成された
ことを特徴とする固体撮像素子。
【請求項２】  上記カラーフィルタの色配列がベイヤー配列であり、レッドフィルタの水平隣のグリーンフィルタ或いはブルーフィルタの水平隣のグリーンフィルタが上記グレイフィルタに置き換えられていることを特徴とする請求項１に記載の固体撮像素子。
【請求項３】  上記グレイフィルタを、他の３原色のフィルタと同等の周波数特性となるようにキャリアバランスをとる手段と、輪郭補正信号を合成する手段とを備えたことを特徴とする請求項１に記載の固体撮像素子。
【請求項４】  原色系のカラーフィルタを具備して成り、
上記カラーフィルタにおいて、３原色のフィルタの配列の特定の画素にグレイフィルタが配置形成され、
上記グレイフィルタを、他の３原色のフィルタと同等の周波数特性となるようにキャリアバランスをとる手段と、
輪郭補正信号を合成する手段とを備えた単板式の固体撮像素子に対して、
３原色のフィルタ及びグレイフィルタの４色の画素の出力信号から、上記キャリアバランスをとる処理を行い、
ホワイトバランス処理を行い、
さらに、全画素に対して３倍のデータを形成する補間の処理を行い、
上記補間の処理と並行して、上記輪郭補正信号を生成して、
生成した上記輪郭補正信号を、補間処理した信号に合成する
ことを特徴とする固体撮像素子の信号処理方法。
【請求項５】  上記固体撮像素子の上記カラーフィルタの色配列がベイヤー配列であり、レッドフィルタの水平隣のグリーンフィルタ或いはブルーフィルタの水平隣のグリーンフィルタが上記グレイフィルタに置き換えられていることを特徴とする請求項４に記載の固体撮像素子の信号処理方法。
【手続補正３】
【補正対象書類名】明細書
【補正対象項目名】０００１
【補正方法】変更
【補正の内容】
【０００１】
【発明の属する技術分野】
本発明は、原色系のカラーフィルタを備えて成る単板式の固体撮像素子及びその信号処理方法に係わる。
【手続補正４】
【補正対象書類名】明細書
【補正対象項目名】０００９
【補正方法】変更
【補正の内容】
【０００９】
上述した問題の解決のために、本発明においては、色による解像感の偏りの発生をなくし、輪郭強調をつけて良好な画像が得られる固体撮像素子及びその信号処理方法を提供するものである。
【手続補正５】
【補正対象書類名】明細書
【補正対象項目名】００１０
【補正方法】変更
【補正の内容】
【００１０】
【課題を解決するための手段】
本発明の固体撮像素子は、原色系のカラーフィルタを具備して成る単板式の固体撮像素子であって、カラーフィルタにおいて３原色のフィルタの配列の特定の画素にグレイフィルタが配置形成されたものである。
本発明の固体撮像素子の信号処理方法は、原色系のカラーフィルタを具備して成り、カラーフィルタにおいて、３原色のフィルタの配列の特定の画素にグレイフィルタが配置形成され、グレイフィルタを他の３原色のフィルタと同等の周波数特性となるようにキャリアバランスをとる手段と、輪郭補正信号を合成する手段とを備えた単板式の固体撮像素子に対して、３原色のフィルタ及びグレイフィルタの４色の画素の出力信号から、キャリアバランスをとる処理を行い、ホワイトバランス処理を行い、さらに、全画素に対して３倍のデータを形成する補間の処理を行い、補間の処理と並行して輪郭補正信号を生成して、生成した輪郭補正信号を補間処理した信号に合成するものである。
【手続補正６】
【補正対象書類名】明細書
【補正対象項目名】００１１
【補正方法】変更
【補正の内容】
【００１１】
上述の本発明の固体撮像素子の構成によれば、３原色（赤、緑、青）のフィルタの配列の特定の画素にグレイフィルタを配置したことにより、グレイフィルタが配置された画素において３原色（赤、緑、青）の各色の信号をそれぞれ検出することができ、グレイフィルタの画素の出力信号を利用して、３原色（赤、緑、青）の各色の出力信号の処理を行うことができる。
上述の本発明の固体撮像素子の信号処理方法によれば、３原色のフィルタ及びグレイフィルタの４色の画素の出力信号から、キャリアバランスをとる処理を行い、ホワイトバランス処理を行い、さらに、全画素に対して３倍のデータを形成する補間の処理を行い、補間の処理と並行して輪郭補正信号を生成して、生成した輪郭補正信号を補間処理した信号に合成することにより、３原色（赤、緑、青）の各色の出力信号の処理を行うことができる。
【手続補正７】
【補正対象書類名】明細書
【補正対象項目名】００１４
【補正方法】変更
【補正の内容】
【００１４】
また本発明は、上記固体撮像素子において、グレイフィルタを、他の３原色のフィルタと同等の周波数特性となるようにキャリアバランスをとる手段と、輪郭補正信号を合成する手段とを備えた構成とする。
本発明は、原色系のカラーフィルタを具備して成り、カラーフィルタにおいて、３原色のフィルタの配列の特定の画素にグレイフィルタが配置形成され、グレイフィルタを他の３原色のフィルタと同等の周波数特性となるようにキャリアバランスをとる手段と、輪郭補正信号を合成する手段とを備えた単板式の固体撮像素子に対して、３原色のフィルタ及びグレイフィルタの４色の画素の出力信号から、キャリアバランスをとる処理を行い、ホワイトバランス処理を行い、さらに、全画素に対して３倍のデータを形成する補間の処理を行い、補間の処理と並行して輪郭補正信号を生成して、生成した輪郭補正信号を補間処理した信号に合成する固体撮像素子の信号処理方法である。
また、本発明は、上記固体撮像素子の信号処理方法において、固体撮像素子のカラーフィルタの色配列がベイヤー配列であり、レッドフィルタの水平隣のグリーンフィルタ或いはブルーフィルタの水平隣のグリーンフィルタがグレイフィルタに置き換えられている構成とする。
【手続補正書】
【提出日】平成19年9月7日(2007.9.7)
【手続補正１】
【補正対象書類名】明細書
【補正対象項目名】特許請求の範囲
【補正方法】変更
【補正の内容】
【特許請求の範囲】
【請求項１】
入力されたデータに対して係数を乗算する乗算手段と、
前記乗算手段による乗算結果と前記入力データの一部を含む複数のデータの加算を行う加算手段と、
与えられたデータ群を格納すると共に、当該与えられたデータ群のうち、予め定められたデータを予め定められたデータ分遅延した遅延データを出力する格納手段と
を備える演算ユニットを複数備え、
前記複数の演算ユニットを用いて、外部入力データに対してフィルタ処理を行うことを特徴とするフィルタ処理装置。
【請求項２】
入力されたデータに対して係数を乗算する乗算手段と、
前記乗算手段による乗算結果と前記入力データの一部を含む複数のデータの加算を行う加算手段と
を備える複数の演算ユニットと、
各演算ユニットからのデータを入力、格納すると共に、当該データに対して遅延を行った遅延データを出力する格納手段とを備え、
外部入力データに対してフィルタ処理を行うことを特徴とするフィルタ処理装置。
【請求項３】
更に、前記演算ユニットに入力されるデータの切り替えを行う切り替え手段を備え、
前記切り替え手段は外部からの制御信号により、前記演算ユニットに入力されるデータの切り替えを行うことを特徴とする請求項１又は２に記載のフィルタ処理装置。
【請求項４】
前記切り替え手段の切り替えにより、前記演算ユニットは、順方向、逆方向のフィルタ処理の切り替えを行うことを特徴とする請求項３に記載のフィルタ処理装置。
【請求項５】
前記外部からの制御信号は、前記係数の正負の符号を制御する為の制御信号であることを特徴とする請求項３に記載のフィルタ処理装置。
【請求項６】
更に、前記演算ユニットによるフィルタ処理結果に対してスケーリング処理を行うスケーリング手段を備えることを特徴とする請求項１又は２に記載のフィルタ処理装置。
【請求項７】
前記入力されたデータは、前記外部入力データ、前記加算手段による加算結果、前記遅延データを含むことを特徴とする請求項１乃至６のいずれか１項に記載のフィルタ処理装置。
【請求項８】
前記複数のデータは更に、前記外部入力データ、前記遅延データを含むことを特徴とする請求項１乃至６のいずれか１項に記載のフィルタ処理装置。
【請求項９】
前記外部入力データは、画像を構成する各画素データであることを特徴とする請求項１乃至８のいずれか１項に記載のフィルタ処理装置。
【請求項１０】
前記フィルタ処理は離散ウェーブレット変換を含むことを特徴とする請求項１又は２に記載のフィルタ処理装置。
【請求項１１】
前記フィルタ処理は、Ｌｉｆｔｉｎｇ  Ｓｃｈｅｍｅで示される方法に従うことを特徴とする請求項１０に記載のフィルタ処理装置。
【手続補正２】
【補正対象書類名】明細書
【補正対象項目名】００２９
【補正方法】変更
【補正の内容】
【００２９】
【課題を解決するための手段】
本発明の目的を達成するために、例えば、本発明のフィルタ処理装置は以下の構成を備える。
即ち、入力されたデータに対して係数を乗算する乗算手段と、
前記乗算手段による乗算結果と前記入力データの一部を含む複数のデータの加算を行う加算手段と、
与えられたデータ群を格納すると共に、当該与えられたデータ群のうち、予め定められたデータを予め定められたデータ分遅延した遅延データを出力する格納手段と
を備える演算ユニットを複数備え、
前記複数の演算ユニットを用いて、外部入力データに対してフィルタ処理を行うことを特徴とする。
【手続補正３】
【補正対象書類名】明細書
【補正対象項目名】００３０
【補正方法】変更
【補正の内容】
【００３０】
本発明の目的を達成するために、例えば、本発明のフィルタ処理装置は以下の構成を備える。
即ち、入力されたデータに対して係数を乗算する乗算手段と、
前記乗算手段による乗算結果と前記入力データの一部を含む複数のデータの加算を行う加算手段と
を備える複数の演算ユニットと、
各演算ユニットからのデータを入力、格納すると共に、当該データに対して遅延を行った遅延データを出力する格納手段とを備え、
外部入力データに対してフィルタ処理を行うことを特徴とする。
【手続補正４】
【補正対象書類名】明細書
【補正対象項目名】発明の名称
【補正方法】変更
【補正の内容】
【発明の名称】フィルタ処理装置
【手続補正５】
【補正対象書類名】明細書
【補正対象項目名】０００１
【補正方法】変更
【補正の内容】
【０００１】
【発明の属する技術分野】
本発明は、外部入力データに対してフィルタ処理を行うフィルタ処理装置に関するものである。
【手続補正書】
【提出日】平成19年10月16日(2007.10.16)
【手続補正１】
【補正対象書類名】明細書
【補正対象項目名】特許請求の範囲
【補正方法】変更
【補正の内容】
【特許請求の範囲】
【請求項１】  原稿画像を照明走査して読み取り原稿画像を電気的な画像信号に変換する画像読取り部と、前記画像読取り部から出力される前記画像信号に基づいて画像を形成する画像形成部と、を備えた画像形成装置において、
前記画像読取り部は前記画像読取り部に給電する第１の電源部を有し、前記画像形成部は、前記画像形成部に給電する第２の電源部を有していることを特徴とする画像形成装置。
【請求項２】  前記画像読取り部又は前記画像形成部は、外部からの電力給電のための給電ケーブルが電気的に接続される１つの給電部を備え、前記給電部からそれぞれ電源ケーブルを介して前記第１の電源部と前記第２の電源部に電力が供給されることを特徴とする請求項１記載の画像形成装置。
【請求項３】  前記画像読取り部は前記画像形成部の上部に分離自在に配置され、前記給電部が設けられていない側の、前記画像読取り部又は前記画像形成部に備えた前記第１の電源部又は前記第２の電源部に電気的に接続されている前記電源ケーブルは、前記画像読取り部と前記画像形成部の分離位置でコネクタを介して着脱自在であることを特徴とする請求項２記載の画像形成装置。
【請求項４】  前記画像読取り部又は前記画像形成部には、外部からの電力給電のための給電ケーブルが電気的に接続される２つの給電部を備え、前記各給電部からそれぞれ電源ケーブルを介して前記第１の電源部及び前記第２の電源部に電力が供給されることを特徴とする請求項１記載の画像形成装置。
【請求項５】  前記第１の電源部に電力を給電する前記電源ケーブルの一部は、前記第２の電源部内に配線されることを特徴とする請求項１記載の画像形成装置。
【手続補正２】
【補正対象書類名】明細書
【補正対象項目名】００１０
【補正方法】変更
【補正の内容】
【００１０】
【課題を解決するための手段】
上記した目的を達成するために本発明は、原稿画像を照明走査して読み取り原稿画像を電気的な画像信号に変換する画像読取り部と、前記画像読取り部から出力される前記画像信号に基づいて画像を形成する画像形成部と、を備えた画像形成装置において、前記画像読取り部は前記画像読取り部に給電する第１の電源部を有し、前記画像形成部は、前記画像形成部に給電する第２の電源部を有していることを特徴としている。
【手続補正３】
【補正対象書類名】明細書
【補正対象項目名】００１３
【補正方法】変更
【補正の内容】
【００１３】
また、前記画像読取り部又は前記画像形成部は、外部からの電力給電のための給電ケーブルが電気的に接続される２つの給電部を備え、前記各給電部からそれぞれ電源ケーブルを介して前記第１の電源部及び前記第２の電源部に電力が供給されることを特徴としている。
【手続補正４】
【補正対象書類名】明細書
【補正対象項目名】００１４
【補正方法】変更
【補正の内容】
【００１４】
また、前記第１の電源部に電力を給電する前記電源ケーブルの一部は、前記第２の電源部内に配線されることを特徴としている。